(57)【特許請求の範囲】
【請求項１】
デジタル信号である映像信号が入力されるとともに、該映像信号を記録するためのランダムアクセス可能な記録媒体を有するデジタル映像記録再生装置において、Ｎピクチャ（Ｎ≧１）毎に１ピクチャの映像信号を読み出して再生するＮ倍速のサーチ機能と、現在再生されたピクチャから所定時間前又は所定時間後のピクチャの映像信号を読み出して再生する所定時間分のスキップ機能とを有し、前記サーチ機能が動作されているときに、前記スキップ機能が動作されるように指示されたとき、所定時間行われる前記サーチ機能と、前記サーチ機能によって再生される方向と同一方向に向かって所定時間分離れた位置にあるピクチャが再生される前記スキップ機能とが繰り返し動作されることを特徴とするデジタル映像記録再生装置。
【請求項２】
デジタル信号である映像信号が入力されるとともに、該映像信号を記録するためのランダムアクセス可能な記録媒体を有するデジタル映像記録再生装置において、前記記録媒体への前記映像信号の書き込み及び読み出しを行う記録媒体制御部と、前記記録媒体に前記映像信号が記録される際に、各ピクチャ毎に前記映像信号が記録された領域の領域番号を記録するピクチャ管理テーブルと、を備えるとともに、Ｎピクチャ（Ｎ≧１）毎に１ピクチャの映像信号を読み出して再生するＮ倍速のサーチ機能と、現在再生されたピクチャから所定時間前又は所定時間後のピクチャの映像信号を読み出して再生する所定時間分のスキップ機能とを有し、前記スキップ機能が動作されるように指示されたとき、所定時間行われる前記サーチ機能と、前記サーチ機能によって再生される方向と同一方向に向かって所定時間分離れた位置にあるピクチャが再生される前記スキップ機能とが繰り返し動作されることを特徴とするデジタル映像記録再生装置。
【請求項３】
前記記録媒体において、１ピクチャ分の映像信号が記録される領域が複数のセクタで構成されるとともに、該複数のセクタのうち代表となるセクタのアドレスが前記ピクチャ管理テーブルで記録される領域番号とされることを特徴とする請求項２に記載のデジタル映像記録再生装置。
【請求項４】
前記サーチ機能のサーチ速度が、複数のサーチ速度に切換可能であることを特徴とする請求項１〜請求項３のいずれかに記載のデジタル映像記録再生装置。
【請求項５】
前記サーチ機能が動作されているときに、１ピクチャ毎に映像信号が順次読み出されて再生される通常再生機能が動作されるように指示されたとき、一旦、前記サーチ機能によって再生される方向と逆方向に向かって所定時間分離れた位置にあるピクチャが再生された後、該所定時間分離れた位置にあるピクチャから１ピクチャ毎にピクチャが順次再生されるように、前記通常再生機能が動作されることを特徴とする請求項１〜請求項４のいずれかに記載のデジタル映像記録再生装置。
【請求項６】
前記サーチ機能が動作されているときに、前記通常再生機能が指示されて再生される前記所定時間分離れた位置にあるピクチャまでスキップされる量が、前記サーチ機能のサーチ速度に応じて異なることを特徴とする請求項５に記載のデジタル映像記録再生装置。
【発明の詳細な説明】
【０００１】
【発明の属する技術分野】
本発明は、デジタル処理された映像信号をランダム・アクセス可能な記録媒体を用いて記録・再生することが可能なデジタル映像記録再生装置に関する。
【０００２】
【従来の技術】
近年、映像信号のデジタル化に伴い、ハードディスクなどのランダムアクセス可能な記録媒体を用いて、入力された映像信号をデジタル信号のまま記録することができる。このようなランダムアクセス可能な記録媒体に動画となる映像信号が記録される際、各ピクチャ毎にアドレスが設定されて記録される。よって、ユーザーが所望のシーンを再生するため、ｎピクチャ毎に１ピクチャの映像信号の画像再生を行うサーチ動作や、ｓ秒後のピクチャより映像信号の画像再生を行うスキップ動作を行う際、ピクチャ毎に設定されたアドレスより画像再生されるピクチャを認識し、読み出すことができる。
【０００３】
このように、映像信号を記録する記録媒体をランダムアクセス可能な記録媒体とすることによって、サーチ動作やスキップ動作が、磁気テープに比べて、容易に行うことができる。又、磁気テープにおいては、スキップするピクチャ数に限界があったが、ハードディスクなどのランダムアクセス可能な記録媒体においては、容易に目的とするピクチャを検索し、その映像信号を読み出すことができるので、スキップするピクチャ数の限度がない。
【０００４】
【発明が解決しようとする課題】
しかしながら、従来においては、上述のスキップ動作及びサーチ動作が個々に行われている。そのため、サーチ動作を行って所望のピクチャ位置のシーンを検索する場合は、表示されるピクチャの間のピクチャ数が少ないため、その検索に時間がかかるという問題が生じる。又、スキップ動作を行って所望のピクチャ位置のシーンを検索する場合は、サーチ動作に比べて多くのピクチャが非表示のピクチャとなるため、所望のシーンを飛び越して検索する恐れがあるとともに、再生されるピクチャの前後のつながりが視聴者にわかりにくくなるという問題が生じる。
【０００５】
このような問題を鑑みて、本発明では、サーチ動作とスキップ動作を組み合わせることによって、所望のシーンを高速に検索することができるデジタル映像記録再生装置を提供することを目的とする。
【０００６】
【課題を解決するための手段】
上記目的を達成するために、本発明のデジタル映像記録再生装置は、デジタル信号である映像信号が入力されるとともに、該映像信号を記録するためのランダムアクセス可能な記録媒体を有するデジタル映像記録再生装置において、Ｎピクチャ（Ｎ≧１）毎に１ピクチャの映像信号を読み出して再生するＮ倍速のサーチ機能と、現在再生されたピクチャから所定時間前又は所定時間後のピクチャの映像信号を読み出して再生する所定時間分のスキップ機能とを有し、前記サーチ機能が動作されているときに、前記スキップ機能が動作されるように指示されたとき、所定時間行われる前記サーチ機能と、前記サーチ機能によって再生される方向と同一方向に向かって所定時間分離れた位置にあるピクチャが再生される前記スキップ機能とが繰り返し動作されることを特徴とする。
【０００９】
このようなデジタル映像記録再生装置において、例えば、リモートコントローラのような入力装置によって早送り再生が指示されて最大のサーチ速度でサーチ機能が動作されているときに、再び入力装置から早送り再生が指示されることによって、スキップ機能とサーチ機能が繰り返し動作されるようにすることができる。又、このようにスキップ機能とサーチ機能が繰り返し行われるとき、サーチ機能が、例えば０．５秒間のように所定時間の間、動作されるようにする。
【００１２】
又、本発明のデジタル映像記録再生装置は、デジタル信号である映像信号が入力されるとともに、該映像信号を記録するためのランダムアクセス可能な記録媒体を有するデジタル映像記録再生装置において、前記記録媒体への前記映像信号の書き込み及び読み出しを行う記録媒体制御部と、前記記録媒体に前記映像信号が記録される際に、各ピクチャ毎に前記映像信号が記録された領域の領域番号を記録するピクチャ管理テーブルと、を備えるとともに、Ｎピクチャ（Ｎ≧１）毎に１ピクチャの映像信号を読み出して再生するＮ倍速のサーチ機能と、現在再生されたピクチャから所定時間前又は所定時間後のピクチャの映像信号を読み出して再生する所定時間分のスキップ機能とを有し、前記スキップ機能が動作されるように指示されたとき、所定時間行われる前記サーチ機能と、前記サーチ機能によって再生される方向と同一方向に向かって所定時間分離れた位置にあるピクチャが再生される前記スキップ機能とが繰り返し動作されることを特徴とする。
【００１３】
このようなデジタル映像記録再生装置において、記録媒体制御部が、ピクチャ管理テーブルから得られる記録された領域番号より、記録媒体に記録された各ピクチャの領域を認識することができる。よって、前記サーチ機能や前記スキップ機能が指示されたときに再生すべきピクチャの映像信号が記録される記録媒体内の領域が領域番号から認識されて、認識された領域より映像信号が読み出されて再生される。又、例えば、リモートコントローラのような入力装置によって早送り再生が指示されて最大のサーチ速度でサーチ機能が動作されているときに、再び入力装置から早送り再生が指示されることによって、スキップ機能とサーチ機能が繰り返し動作されるようにすることができる。更に、このようにスキップ機能とサーチ機能が繰り返し行われるとき、サーチ機能が、例えば０．５秒間のように所定時間の間、動作されるようにする。
【００１４】
前記記録媒体において、１ピクチャ分の映像信号が記録される領域が複数のセクタで構成されるとともに、該複数のセクタのうち代表となるセクタのアドレスが前記ピクチャ管理テーブルで記録される領域番号としても構わない。
【００１５】
上述のデジタル映像記録再生装置は、請求項１〜請求項５のいずれかに記載のデジタル映像記録再生装置において、前記サーチ機能のサーチ速度が、複数のサーチ速度に切換可能であることを特徴とする。
【００１６】
上述のデジタル映像記録再生装置は、請求項１〜請求項６のいずれかに記載のデジタル映像記録再生装置において、前記サーチ機能が動作されているときに、１ピクチャ毎に映像信号が順次読み出されて再生される通常再生機能が動作されるように指示されたとき、一旦、前記サーチ機能によって再生される方向と逆方向に向かって所定時間分離れた位置にあるピクチャが再生された後、該所定時間分離れた位置にあるピクチャから１ピクチャ毎にピクチャが順次再生されるように、前記通常再生機能が動作されることを特徴とする。
【００１７】
このようなデジタル映像記録再生装置において、サーチ機能が動作されているときに通常再生機能が指示されると、数秒間のサーチ機能が動作されているときの再生方向と逆方向にスキップした後、通常再生機能が動作される。つまり、視聴者によって操作されたときの操作遅れ分だけスキップして戻った後、通常再生が行われるようにすることで、視聴者が所望するシーンから通常再生される。
【００１８】
又、前記サーチ機能が動作されているときに、前記通常再生機能が指示されて再生される前記所定時間分離れた位置にあるピクチャまでスキップされる量が、前記サーチ機能のサーチ速度に応じて異なることを特徴とする。
【００１９】
【発明の実施の形態】
＜デジタル映像記録再生装置の構成＞
本発明のデジタル映像記録再生装置の構成について、図面を参照して説明する。図１は、デジタル映像記録再生装置の内部構成を示すブロック図である。図２は、図１のデジタル映像記録再生装置に入力を行うための、リモートコントローラの外観図である。
【００２０】
図１のデジタル映像記録再生装置は、デジタル放送信号を受信するアンテナ１と、アンテナ１から送信される放送信号を復調するとともにこの放送信号を多重分離してユーザーが選択したチャンネルのＴＳ（Transport Stream）を獲得するチューナ２と、チューナ２で得たデジタル信号であるＴＳを記録するハードディスクなどのランダムアクセス可能な記録媒体と３と、記録媒体３への書き込み及び読み出しを行う記録媒体制御部４と、記録媒体制御部４によって読み出されたＴＳを復号する復号回路５と、復号回路５で復号された信号によって映像を再生する表示装置６とを有する。
【００２１】
又、このデジタル映像記録再生装置は、チューナ２及び記録媒体制御部３及び復号回路５の動作を制御するＣＰＵ（Central Processor Unit）７と、入力装置であるリモートコントローラ１０と通信を行うインターフェース８と、ＴＳ内の映像信号を記録媒体３に記録する際ピクチャ毎に記録された映像信号のアドレス番号が記録されるピクチャ管理テーブル９と、が設けられる。
【００２２】
又、リモートコントローラ１０は、視聴者の所望のチャンネルを指示するためのチャンネルボタン２１と、記録媒体３内に記録されたＴＳを再生するための再生ボタン２２と、再生と同一方向（順方向）に早送りを行うための早送りボタン２３と、再生と逆の方向（逆方向）に早送りを行うための早送りボタン２４と、再生や早送りの停止を指示するための停止ボタン２５と、回動されて操作されるとともに再生や早送りの指示するためのシャトルダイヤル２６とが設けられる。
【００２３】
＜記録動作＞
視聴者によってリモートコントローラ１０のチャンネルボタン２１が操作されたとき、まず、インターフェース８に信号が送信され、ＣＰＵ７に視聴者所望のチャンネルを受信するように指示される。そして、ＣＰＵ７によってチューナ２が制御されて、アンテナ１で受信される放送信号より視聴者が所望するチャンネルのＴＳが選択され、記録媒体制御部４に送出される。
【００２４】
記録媒体制御部４に復調されたＴＳが与えられると、ＴＳ内のデータ毎に記録媒体３のセクタを割り当てて書き込みを行うことによって、記録媒体３へのＴＳの記録を行う。このとき、記録媒体３に記録されるＴＳにおける各ピクチャの最初のデータが記録されたアドレス（以下、「ピクチャ先頭アドレス」とする）が記録媒体制御部４によって認識され、ピクチャ管理テーブル９に記録される。
【００２５】
即ち、ＴＳ内の映像信号が記録媒体３に図３（ａ）のように記録される際、受信したＴＳの順に、１ピクチャに含まれる映像信号ｎ個のセクタに記録される。このとき、図３（ａ）のように、１シーン目のピクチャを表す映像信号がアドレス1-1〜1-nのセクタに、２シーン目のピクチャを表す映像信号がアドレス2-1〜2-nのセクタに、というように、映像信号がチューナ２より出力される順に記録媒体３のセクタに記録される。
【００２６】
この１ピクチャを表す映像信号が記録されたｎ個のセクタのうち、先頭となるセクタのアドレスを、「ピクチャ先頭アドレス」とする。そして、このピクチャ先頭アドレスが、各ピクチャ（各シーン）毎に、記録媒体制御部４において認識され、ピクチャ管理テーブル９に記録される。即ち、ｍシーン目のピクチャを表す映像信号まで記録媒体３に記録され、アドレス1-1〜m-nのセクタにｍピクチャ分の映像信号が記録されたとき、図３（ｂ）のように、各ピクチャの先頭となるセクタのピクチャ先頭アドレス1-1，2-1，…，m-1が、ピクチャ管理テーブル９に記録される。
【００２７】
尚、図３には、記録媒体３内に記録される映像信号のみについて表しているが、この映像信号とともに、１シーン毎の音声信号やその他のデータ信号が、各シーンに割り当てられたセクタに記録されている。即ち、ＴＳ内の各信号が、１シーン毎に割り当てられた複数のセクタに記録されている。又、図３（ａ）において、１シーン目のピクチャ、２シーン目のピクチャ、…、ｍシーン目のピクチャをそれぞれ、ピクチャｐ１、ピクチャｐ２、…、ピクチャｐｍとしている。
【００２８】
＜通常再生動作＞
視聴者によってリモートコントローラ１０の再生ボタン２２が操作されたとき、まず、インターフェース８に信号が送信され、ＣＰＵ７に通常再生動作（１倍速再生動作）を行うように指示される。そして、ＣＰＵ７によって記録媒体制御部４及び復号回路５が初期化されて、通常再生動作が開始される。このとき、記録媒体制御部４が記録媒体３に記録されたＴＳを１ピクチャ毎に順次読み出すように、ＣＰＵ７によって制御される。即ち、記録媒体３に記録されたＴＳが、１ピクチャ毎、記録された順に、記録媒体制御部４によって読み出される。
【００２９】
このようにして記録媒体３より順次読み出されたＴＳ内の映像信号及び音声信号が、記録媒体制御部４より復号回路５に与えられて復号される。そして、表示装置６に復号された映像信号が送出され、復号回路５で復号された映像信号に基づいて動画再生されるとともに、不図示のスピーカなどの音声出力装置に音声信号が送出され、復号回路５で復号された音声信号に基づいて音声が再生される。
【００３０】
このとき、図３（ａ）のように記録媒体３内に記録された映像信号が、ピクチャｐ１，ｐ２，…，ｐｍの順に、記録媒体３から読み出される。即ち、セクタ内に格納された映像信号が、1-1，1-2，…，1-n，2-1，2-2，…，2-n，…，m-1，m-2，…m-nの順に読み出されて、復号回路５で復号された後、この復号された映像信号に基づいて、表示装置６において、１シーン毎に映像が動画再生される。
【００３１】
＜サーチ動作＞
視聴者によってリモートコントローラ１０の早送りボタン２３，２４やシャトルダイヤル２６が操作されたとき、まず、インターフェース８に信号が送信され、ＣＰＵ７に順方向又は逆方向の早送り動作を行うように指示される。このとき、リモートコントローラ１０より与えられる信号に、行う早送り動作がサーチ動作であることを示す情報を含んでいる場合、Ｎ倍速のサーチ動作が行われる。
【００３２】
そして、記録媒体制御部４がＮピクチャ毎に１ピクチャ分の映像信号を記録媒体３より順次読み出すように、ＣＰＵ７によって制御される。このとき、記録媒体制御部４は、ピクチャ管理テーブル９に記録された各ピクチャのピクチャ先頭アドレスを参照して、読み出す映像信号が記録されたセクタのアドレスを認識し、記録媒体３より映像信号を読み出した後、復号回路５に送出する。そして、復号回路５で記録媒体制御部４より与えられるＮピクチャ毎の映像信号が復号されると、表示装置６に送出されて、Ｎピクチャ毎に映像が動画再生される。
【００３３】
今、図４（ａ）のように、ピクチャｐ11〜ｐ1N，ｐ21〜ｐ2N，…，ｐm1〜ｐmNの映像信号が記録媒体３に記録されるとき、例えばピクチャｐkL（k，Lは、1≦k≦m，1≦L≦Nとなる自然数）の映像信号がアドレスkL-1〜kL-nのセクタに記録されるように、ピクチャｐ11〜ｐmNの映像信号がアドレス11-1〜mN-nにそれぞれ記録されるものとする。このようにピクチャｐ11〜ｐmNの映像信号が記録媒体３に記録されているとき、ピクチャｐ11〜ｐ1N，ｐ21〜ｐ2N，…，ｐm1〜ｐmNそれぞれのピクチャ先頭アドレス11-1〜1N-1，21-1〜2N-1，…，m1-1〜mN-1が、図４（ｂ）のように、ピクチャ管理テーブル９に記録される。
【００３４】
このように各ピクチャの映像信号が記録媒体３に、又、各ピクチャのピクチャ先頭アドレスがピクチャ管理テーブル９にそれぞれ記録されているとき、記録媒体制御部４によって、ピクチャｐ11，ｐ21，…，ｐm1のように、Ｎピクチャ毎に映像信号が記録媒体３から読み出される。このとき、記録媒体制御部４が、ピクチャ管理テーブル９よりピクチャ先頭アドレス11-1を読み出すことにより、ピクチャｐ11の映像信号が記録されたアドレス11-1〜11-nのセクタを認識し、このピクチャｐ11の映像信号を読み出す。
【００３５】
ピクチャｐ11の映像信号を読み出した後、記録媒体制御部４が、Ｎピクチャ後に記録媒体３に入力されて記録されたピクチャｐ21のピクチャ先頭アドレス21-1をピクチャ管理テーブル９より読み出すことによりピクチャｐ21の映像信号が記録されたアドレス21-1〜21-nのセクタを認識し、このピクチャｐ21の映像信号を読み出す。そして、同様に、記録媒体制御部４が、ピクチャ管理テーブル９よりピクチャ先頭アドレス31-1，41-1，…，m1-1を順に読み出すことによって、記録媒体３よりアドレス31-1〜31-n，41-1〜41-n，…，m1-1〜m1-nに記録されたピクチャｐ31，ｐ41，…，ｐm1の映像信号を順に読み出す。
【００３６】
このようにしてＮピクチャ毎に読み出されたピクチャｐ11，ｐ21，…，ｐm1の映像信号が、順に記録媒体制御部４から復号回路５に送出される。そして、復号回路５に送出された映像信号が復号化されて表示装置６に送出されると、表示装置６では、Ｎピクチャ毎に映像が再生される。
【００３７】
尚、上述した例では、順方向にサーチしたときの動作を示したが、逆方向にサーチしたときも、同様に、現在再生されているピクチャの前に再生されるピクチャが、現在再生されているピクチャが再生された後、Ｎピクチャ毎に再生される。
【００３８】
＜スキップ動作＞
視聴者によってリモートコントローラ１０の早送りボタン２３，２４やシャトルダイヤル２６が操作されたとき、まず、インターフェース８に信号が送信され、ＣＰＵ７に順方向又は逆方向の早送り動作を行うように指示される。このとき、リモートコントローラ１０より与えられる信号に、行う早送り動作がスキップ動作であることを示す情報を含んでいる場合、ｓ秒間分のスキップ動作が行われる。
【００３９】
そして、記録媒体制御部４が現在読み出したピクチャからｓ秒後に再生されるピクチャの映像信号を記録媒体３より読み出すように、ＣＰＵ７によって制御される。このとき、記録媒体制御部４は、ピクチャ管理テーブル９に記録された各ピクチャのピクチャ先頭アドレスを参照して、読み出す映像信号が記録されたセクタのアドレスを認識し、記録媒体３より映像信号を読み出した後、復号回路５に送出する。そして、復号回路５で記録媒体制御部４より与えられるｓ秒後の映像信号が復号されると、表示装置６に送出されて、ｓ秒後の映像が再生される。
【００４０】
今、図５（ａ）のように、ピクチャｐ01〜ｐ0r，ｐ11〜ｐ1r，…，ｐs1〜ｐsr，…，ｐm1〜ｐmrの映像信号が記録媒体３に記録されるとき、例えばピクチャｐab（a，bは、0≦a≦m，0≦b≦rとなる整数）の映像信号がアドレスab-1〜ab-nのセクタに記録されるように、ピクチャｐ11〜ｐmrの映像信号がアドレス01-1〜mr-nにそれぞれ記録されるものとする。このようにピクチャｐ01〜ｐmrの映像信号が記録媒体３に記録されているとき、ピクチャｐ01〜ｐ0r，ｐ11〜ｐ1r，…，ｐs1〜ｐsr，…，ｐm1〜ｐmrそれぞれのピクチャ先頭アドレス01-1〜0r-1，11-1〜1r-1，…，s1-1〜sr-1，…，m1-1〜mr-1が、図５（ｂ）のように、ピクチャ管理テーブル９に記録される。
【００４１】
又、通常の再生時において１秒間のシーンが表示装置６に再生されるために、ｒピクチャ分の映像信号が読み出されるとき、ｓ秒スキップされることによって、現在再生されているピクチャからｓ×ｒピクチャ分後に入力されて記録媒体３に記録されたピクチャの映像信号が読み出される。よって、１ピクチャの映像信号が記録媒体３において、ｎ個のセクタに記録されているとき、現在読み出されたピクチャにおける最後のセクタの映像信号が読み出された後、ｓ×ｒ×ｎアドレス分後のセクタの映像信号が読み出される。
【００４２】
よって、上述したように各ピクチャの映像信号が記録媒体３に、又、各ピクチャのピクチャ先頭アドレスがピクチャ管理テーブル９にそれぞれ記録されており、ピクチャｐ01の映像信号が記録媒体制御部４によって記録媒体３によって読み出さているときにスキップ動作が指示されると、ピクチャｐs1の映像信号が記録媒体３から読み出される。即ち、記録媒体制御部４がアドレス01-nのセクタに記録された映像信号を読み出した後、ピクチャ管理テーブル９よりピクチャ先頭アドレスs1-1を読み出すことにより、ピクチャｐs1の映像信号が記録されたアドレスs1-1〜s1-nのセクタを認識し、このピクチャｐs1の映像信号を読み出す。
【００４３】
よって、ピクチャｐ01の映像信号が記録媒体制御部４によって読み出されて、復号回路５で復号化されることにより表示装置６にピクチャｐ01の画像が再生された後、ピクチャｐs1の映像信号が記録媒体制御部４によって読み出されて、復号回路５で復号化されることにより表示装置６にピクチャｐs1の画像が再生される。
【００４４】
尚、上述した例では、順方向にスキップしたときの動作を示したが、逆方向にスキップしたときも、同様に、現在再生されているピクチャのｓ秒前に再生されるピクチャが、現在再生されているピクチャが再生された後、再生される。
【００４５】
＜早送り動作＞
１．基本動作
まず、早送り動作の基本動作について、図６の状態遷移図を参照して説明する。図６において、Ｃ１〜Ｃ３がデジタル映像記録再生装置の動作状態を、Ｐ１，Ｐ２がデジタル映像記録再生装置の行う処理動作を表す。
【００４６】
デジタル映像記録再生装置が停止状態にあるときに（状態Ｃ１）、リモートコントローラ１０の再生ボタン２２（図２）が操作されることによって、記録媒体３（図１）内に記録されたＴＳ内の映像信号を記録されたピクチャ順に読み出される、上述した通常再生動作が行われる（状態Ｃ２）。このように通常再生動作が行われているとき、停止ボタン２５が操作されると再び停止状態に戻る（状態Ｃ１）。
【００４７】
又、状態Ｃ２のように、デジタル映像記録再生装置が通常再生動作を行っているときに、リモートコントローラ１０の早送りボタン２３，２４又はシャトルダイヤル２６が操作されることによって、記録媒体３内に記録されたＴＳ内の映像信号を記録されたＮピクチャ毎に読み出される、上述したＮ倍速のサーチ動作が行われる（状態Ｃ３）。尚、このとき、早送りボタン２３又はシャトルダイヤル２６によって順方向の早送りが指示されたとき、通常再生と同一方向のサーチが行われ、又、早送りボタン２４又はシャトルダイヤル２６によって逆方向の早送りが指示されたとき、通常再生と逆方向のサーチが行われる。
【００４８】
この状態Ｃ３のように、デジタル映像記録再生装置がサーチ動作を行っているときに、リモートコントローラ１０の早送りボタン２３，２４又はシャトルダイヤル２６が操作されることによってスキップ動作を行うように指示されると、順方向にサーチしている場合は記録媒体３内に記録されたｓ秒後のピクチャの映像信号が、又、逆方向にサーチしている場合は記録媒体３内に記録されたｓ秒前のピクチャの映像信号が再生される、上述したスキップ動作が行われる（処理Ｐ１）。そして、この処理Ｐ１のようなスキップ動作が行われた後、再びサーチ動作を行う（状態Ｃ３）。
【００４９】
又、この状態Ｃ３において、リモートコントローラ１０の再生ボタン２２やシャトルダイヤル２６が操作されることによって通常動作を行うように指示されると、順方向にサーチしている場合は記録媒体３内に記録された数秒前のピクチャの映像信号が、又、逆方向にサーチしている場合は記録媒体３内に記録された数秒後のピクチャの映像信号が再生される、上述したスキップ動作が行われる（処理Ｐ２）。そして、この処理Ｐ２のようなスキップ動作が行われた後、再び通常再生動作を行う（状態Ｃ２）。更に、状態Ｃ３において、リモートコントローラ１０の停止ボタン２５が操作されることによって、停止状態になる（状態Ｃ１）。
【００５０】
尚、処理Ｐ２のようなスキップ動作を行うことによって、視聴者が操作した後に視聴者の所望のシーンより数秒後又は数秒前のシーンから通常再生されることを防ぎ、視聴者が所望したであろうシーンから通常再生することができる。
【００５１】
２．早送りボタンが操作されたときの動作
次に、早送りボタン２３，２４が操作されたときの早送り動作について、図７の状態遷移図を参照して説明する。図７において、Ｃ１１〜Ｃ１４がデジタル映像記録再生装置の動作状態を、Ｐ１１〜Ｐ１３がデジタル映像記録再生装置の行う処理動作を表す。
【００５２】
１．の基本動作で説明したように、デジタル映像記録再生装置が停止状態にあるときに（状態Ｃ１１）、リモートコントローラ１０の再生ボタン２２（図２）が操作されることによって、上述した通常再生動作が行われる（状態Ｃ１２）。又、このように通常再生動作が行われているとき、停止ボタン２５が操作されると再び停止状態に戻る（状態Ｃ１１）。
【００５３】
又、状態Ｃ１２のように、デジタル映像記録再生装置が通常再生動作を行っているときに、リモートコントローラ１０の早送りボタン２３又は早送りボタン２４が操作されることによって、３ピクチャ毎に映像信号を読み出す３倍速のサーチ動作が行われる（状態Ｃ１３）。尚、このとき、早送りボタン２３が操作されたとき、通常再生と同一方向の３倍速のサーチが行われ、又、早送りボタン２４が操作されたとき、通常再生と逆方向の３倍速のサーチが行われる。
【００５４】
この状態Ｃ１３のように、デジタル映像記録再生装置が順方向に３倍速のサーチ動作を行っているときに再びリモートコントローラ１０の早送りボタン２３が操作されることによって、又は、デジタル映像記録再生装置が逆方向に３倍速のサーチ動作を行っているときに再びリモートコントローラ１０の早送りボタン２４が操作されることによって、６ピクチャ毎に映像信号を読み出す６倍速のサーチ動作が行われる（状態Ｃ１４）。
【００５５】
即ち、状態Ｃ１３で順方向に３倍速のサーチ動作が行われているときに、再び、早送りボタン２３が操作されると、通常再生と同一方向の６倍速のサーチが行われる。又、状態Ｃ１３で逆方向に３倍速のサーチ動作が行われているときに、再び、早送りボタン２４が操作されると、通常再生と逆方向の６倍速のサーチが行われる。
【００５６】
又、状態Ｃ１３において、リモートコントローラ１０の再生ボタン２２が操作されることによって、順方向に３倍速のサーチしている場合は１秒前のピクチャの映像信号が再生されるように、又、逆方向に３倍速のサーチしている場合は１秒後のピクチャの映像信号が再生されるように、スキップ動作が行われる（処理Ｐ１１）。そして、この処理Ｐ１１のようなスキップ動作が行われた後、再び通常再生動作を行う（状態Ｃ１２）。更に、状態Ｃ１３において、リモートコントローラ１０の停止ボタン２５が操作されることによって、停止状態になる（状態Ｃ１１）。
【００５７】
そして、状態Ｃ１３から状態Ｃ１４に遷移して、デジタル映像記録再生装置が順方向に６倍速のサーチ動作を行っているときに再びリモートコントローラ１０の早送りボタン２３が操作されることによって、又は、デジタル映像記録再生装置が逆方向に６倍速のサーチ動作を行っているときに再びリモートコントローラ１０の早送りボタン２４が操作されることによって、５分前又は５分後のピクチャの映像信号を読み出す５分間分のスキップ動作が行われる（処理Ｐ１２）。
【００５８】
即ち、状態Ｃ１４で順方向に６倍速のサーチ動作が行われているときに、再び、早送りボタン２３が操作されると、５分後のピクチャへのスキップが行われる。又、状態Ｃ１４で逆方向に６倍速のサーチ動作が行われているときに、再び、早送りボタン２４が操作されると、５分前のピクチャへのスキップが行われる。そして、この処理Ｐ１２のようなスキップ動作が行われた後、再び６倍速の動作を行う（状態Ｃ１４）。
【００５９】
又、この状態Ｃ１４において、リモートコントローラ１０の再生ボタン２２が操作されることによって、順方向に６倍速のサーチしている場合は２秒前のピクチャの映像信号が再生されるように、又、逆方向に６倍速のサーチしている場合は２秒後のピクチャの映像信号が再生されるように、スキップ動作が行われる（処理Ｐ１３）。そして、この処理Ｐ１３のようなスキップ動作が行われた後、再び通常再生動作を行う（状態Ｃ１２）。更に、状態Ｃ１４及び処理Ｐ１２において、リモートコントローラ１０の停止ボタン２５が操作されることによって、停止状態になる（状態Ｃ１１）。
【００６０】
尚、以上で説明した早送りボタンが操作されたときの動作を、図７の状態遷移図に基づいて説明したが、この図７の状態遷移図に限定されるものでなく、例えば、状態Ｃ１３で３倍速のサーチ動作を行ったときに、スキップ動作に移るようにしても構わない。又、このとき、各サーチ動作におけるサーチ速度（倍速）に応じて、各サーチ動作から移ったスキップ動作時のスキップ量（時間）を変更するようにしても構わない。又、サーチ速度及びスキップ量についても、図７の状態遷移図の例に限定されるものではない。
【００６１】
３．シャトルダイヤルが操作されたときの動作
次に、シャトルダイヤル２６が操作されたときの早送り動作について、図８の状態遷移図を参照して説明する。図８において、Ｃ２１〜Ｃ２５がデジタル映像記録再生装置の動作状態を、Ｐ２１〜Ｐ２５がデジタル映像記録再生装置の行う処理動作を表す。尚、以下において、シャトルダイヤル２６を＋θ°、又は−θ°回動させるとは、図９のように、シャトルダイヤル２６の基準Ａが、位置Ｂよりθ°時計回り又は反時計回りに回動させることをいう。又、基準Ａが位置Ｂより時計回りに回動されたときは順方向への早送りが、基準Ａが位置Ｂより反時計回りに回動されたときは逆方向への早送りが、それぞれ、指示されたものとする。
【００６２】
１．の基本動作で説明したように、デジタル映像記録再生装置が停止状態にあるときに（状態Ｃ２１）、リモートコントローラ１０の再生ボタン２２（図２）が操作されることによって、上述した通常再生動作が行われる（状態Ｃ２２）。又、このように通常再生動作が行われているとき、停止ボタン２５が操作されると再び停止状態に戻る（状態Ｃ２１）。
【００６３】
そして、状態Ｃ２２のように、デジタル映像記録再生装置が通常再生動作を行っているときに、リモートコントローラ１０のシャトルダイヤル２６が±１０°の位置まで回動されることによって、３ピクチャ毎に映像信号を読み出す３倍速のサーチ動作が行われる（状態Ｃ２３）。尚、このとき、シャトルダイヤル２６が＋１０°の位置まで回動されたとき、通常再生と同一方向の３倍速のサーチが行われ、又、シャトルダイヤル２６が−１０°の位置まで回動されたとき、通常再生と逆方向の３倍速のサーチが行われる。
【００６４】
又、この状態Ｃ２２において、デジタル映像記録再生装置が通常再生動作を行っているときに、リモートコントローラ１０のシャトルダイヤル２６が±２０°の位置まで回動されることによって、６ピクチャ毎に映像信号を読み出す６倍速のサーチ動作が行われる（状態Ｃ２４）。尚、このとき、シャトルダイヤル２６が＋２０°の位置まで回動されたとき、通常再生と同一方向の６倍速のサーチが行われ、又、シャトルダイヤル２６が−２０°の位置まで回動されたとき、通常再生と逆方向の６倍速のサーチが行われる。
【００６５】
更に、この状態Ｃ２２において、デジタル映像記録再生装置が通常再生動作を行っているときに、リモートコントローラ１０のシャトルダイヤル２６が±３０°の位置まで回動されることによって、ＣＰＵ７（図１）によって０．５秒間のタイマがセットされ（処理Ｐ２３）、０．５秒間、６倍速のサーチ動作が行われる（状態Ｃ２５）。尚、このとき、シャトルダイヤル２６が＋３０°の位置まで回動されたとき、通常再生と同一方向の６倍速のサーチが行われ、又、シャトルダイヤル２６が−３０°の位置まで回動されたとき、通常再生と逆方向の６倍速のサーチが行われる。
【００６６】
そして、状態Ｃ２５のように、６倍速のサーチ動作が０．５秒間行われると、５分前又は５分後のピクチャの映像信号を読み出す５分間分のスキップ動作が行われる（処理Ｐ２５）。即ち、状態Ｃ２５で順方向に６倍速のサーチ動作が０．５秒間行われると、５分後のピクチャへのスキップが行われる。又、状態Ｃ２５で逆方向に６倍速のサーチ動作が０．５秒間行われると、５分前のピクチャへのスキップが行われる。
【００６７】
この処理Ｐ２５のような５分間分のスキップ動作が行われた後、再び、ＣＰＵ７によって０．５秒間のタイマがセットされ（処理Ｐ２３）、０．５秒間、６倍速のサーチ動作が行われる（処理Ｐ２３及び状態Ｃ２５）。この０．５秒間の６倍速のサーチ動作（状態Ｃ２５）と、５分間分のスキップ動作（処理Ｐ２５）は、シャトルダイヤル２６の基準Ａが図８における位置Ｂ（０°）に回動されるまで、繰り返される。
【００６８】
又、状態Ｃ２３において、リモートコントローラ１０のシャトルダイヤル２６が更に±２０°の位置まで回動されることによって、６ピクチャ毎に映像信号を読み出す６倍速のサーチ動作が行われる（状態Ｃ２４）。尚、このとき、順方向に３倍速のサーチ動作が行われているとともにシャトルダイヤル２６が＋２０°の位置まで回動されたとき、順方向の６倍速のサーチが行われ、又、逆方向に３倍速のサーチ動作が行われているとともにシャトルダイヤル２６が−２０°の位置まで回動されたとき、逆方向の６倍速のサーチが行われる。
【００６９】
又、この状態Ｃ２３において、リモートコントローラ１０のシャトルダイヤル２６が±３０°の位置まで回動されることによって、ＣＰＵ７（図１）によって０．５秒間のタイマがセットされ（処理Ｐ２３）、０．５秒間、６倍速のサーチ動作が行われる（状態Ｃ２５）。尚、このとき、順方向に３倍速のサーチ動作が行われているとともにシャトルダイヤル２６が＋３０°の位置まで回動されたとき、順方向の６倍速のサーチが行われ、又、逆方向に３倍速のサーチ動作が行われているとともにシャトルダイヤル２６が−３０°の位置まで回動されたとき、逆方向の６倍速のサーチが行われる。
【００７０】
そして、状態Ｃ２５のように、６倍速のサーチ動作が０．５秒間行われると、５分前又は５分後のピクチャの映像信号を読み出す５分間分のスキップ動作が行われる（処理Ｐ２５）。即ち、状態Ｃ２５で順方向に６倍速のサーチ動作が０．５秒間行われると、５分後のピクチャへのスキップが行われる。又、状態Ｃ２５で逆方向に６倍速のサーチ動作が０．５秒間行われると、５分前のピクチャへのスキップが行われる。
【００７１】
このように、処理Ｐ２５で５分間分のスキップ動作が行われると、上述した処理Ｐ２３及び状態Ｃ２５及び処理Ｐ２５が繰り返し行われることで、０．５秒間の６倍速のサーチ動作と５分間分のスキップ動作が繰り返し行われる。そして、この０．５秒間の６倍速のサーチ動作と、５分間分のスキップ動作は、シャトルダイヤル２６の基準Ａが０°の位置に回動されるまで、繰り返される。
【００７２】
更に、この状態Ｃ２３において、リモートコントローラ１０のシャトルダイヤル２６が０°の位置まで回動されることによって、１秒前又は１秒後のピクチャの映像信号を読み出す１秒間分のスキップ動作が行われる（処理Ｐ２１）。尚、このとき、順方向に３倍速のサーチ動作が行われているとともにシャトルダイヤル２６が０°の位置まで回動されたとき、１秒前のピクチャへのスキップが行われ、逆方向に３倍速のサーチ動作が行われているとともにシャトルダイヤル２６が０°の位置まで回動されたとき、１秒後のピクチャへのスキップが行われる。このように、処理Ｐ２１において、１秒間のスキップ動作が行われると、状態Ｃ２２に遷移して、通常再生動作を行う。
【００７３】
又、状態Ｃ２４において、リモートコントローラ１０のシャトルダイヤル２６が更に±３０°の位置まで回動されることによって、５分前又は５分後のピクチャの映像信号を読み出す５分間分のスキップ動作が行われる（処理Ｐ２２）。尚、このとき、順方向に６倍速のサーチ動作が行われているとともにシャトルダイヤル２６が＋３０°の位置まで回動されたとき、５分後のピクチャへのスキップが、又、逆方向に６倍速のサーチ動作が行われているとともにシャトルダイヤル２６が−３０°の位置まで回動されたとき、５分前のピクチャへのスキップが行われる。
【００７４】
このように、処理Ｐ２２で５分間分のスキップ動作が行われると、上述した処理Ｐ２３及び状態Ｃ２５及び処理Ｐ２５が繰り返し行われることで、０．５秒間の６倍速のサーチ動作と５分間分のスキップ動作が繰り返し行われる。そして、この０．５秒間の６倍速のサーチ動作と、５分間分のスキップ動作は、シャトルダイヤル２６の基準Ａが０°の位置に回動されるまで、繰り返される。
【００７５】
又、状態Ｃ２４において、リモートコントローラ１０のシャトルダイヤル２６が±１０°の位置まで回動されることによって、状態Ｃ２３に遷移して、３倍速のサーチ動作が行われる。尚、このとき、順方向に６倍速のサーチ動作が行われているとともにシャトルダイヤル２６が＋１０°の位置まで回動されたとき、順方向の３倍速のサーチが行われ、又、逆方向に６倍速のサーチ動作が行われているとともにシャトルダイヤル２６が−１０°の位置まで回動されたとき、逆方向の３倍速のサーチが行われる。
【００７６】
更に、この状態Ｃ２４において、リモートコントローラ１０のシャトルダイヤル２６が０°の位置まで回動されることによって、２秒前又は２秒後のピクチャの映像信号を読み出す２秒間分のスキップ動作が行われる（処理Ｐ２４）。尚、このとき、順方向に６倍速のサーチ動作が行われているとともにシャトルダイヤル２６が０°の位置まで回動されたとき、２秒前のピクチャへのスキップが行われ、逆方向に６倍速のサーチ動作が行われているとともにシャトルダイヤル２６が０°の位置まで回動されたとき、２秒後のピクチャへのスキップが行われる。このように、処理Ｐ２４において、２秒間のスキップ動作が行われると、状態Ｃ２２に遷移して、通常再生動作を行う。
【００７７】
又、状態Ｃ２５において、リモートコントローラ１０のシャトルダイヤル２６が±１０°の位置まで回動されることによって、状態Ｃ２３に遷移して、３倍速のサーチ動作が行われる。尚、このとき、順方向に６倍速のサーチ動作とスキップ動作が繰り返し行われているとともにシャトルダイヤル２６が＋１０°の位置まで回動されたとき、順方向の３倍速のサーチが行われ、又、逆方向に６倍速のサーチ動作とスキップ動作が繰り返し行われているとともにシャトルダイヤル２６が−１０°の位置まで回動されたとき、逆方向の３倍速のサーチが行われる。
【００７８】
又、状態Ｃ２５において、リモートコントローラ１０のシャトルダイヤル２６が±２０°の位置まで回動されることによって、状態Ｃ２４に遷移して、６倍速のサーチ動作が行われる。尚、このとき、順方向に６倍速のサーチ動作とスキップ動作が繰り返し行われているとともにシャトルダイヤル２６が＋２０°の位置まで回動されたとき、順方向の６倍速のサーチが行われ、又、逆方向に６倍速のサーチ動作とスキップ動作が繰り返し行われているとともにシャトルダイヤル２６が−２０°の位置まで回動されたとき、逆方向の６倍速のサーチが行われる。
【００７９】
更に、この状態Ｃ２５において、リモートコントローラ１０のシャトルダイヤル２６が０°の位置まで回動されることによって、処理Ｐ２４に遷移して、２秒前又は２秒後のピクチャの映像信号を読み出す２秒間分のスキップ動作が行われる。  尚、このとき、順方向に６倍速のサーチ動作とスキップ動作が繰り返し行われているとともにシャトルダイヤル２６が０°の位置まで回動されたとき、２秒前のピクチャへのスキップが行われ、逆方向に６倍速のサーチ動作とスキップ動作が繰り返し行われているとともにシャトルダイヤル２６が０°の位置まで回動されたとき、２秒後のピクチャへのスキップが行われる。このように、処理Ｐ２４において、２秒間のスキップ動作が行われると、状態Ｃ２２に遷移して、通常再生動作を行う。
【００８０】
尚、以上で説明したシャトルダイヤルが操作されたときの動作を、図８の状態遷移図に基づいて説明したが、この図８の状態遷移図に限定されるものではない。よって、例えば、通常動作や３倍速のサーチ動作や６倍速のサーチ動作からそれぞれスキップ動作に移るとき、各動作におけるサーチ速度（倍速）に応じて、各動作から移ったスキップ動作時のスキップ量（時間）を変更するようにしても構わない。又、サーチ速度及びスキップ量についても、図８の状態遷移図の例に限定されるものではない。又、状態Ｃ２３，Ｃ２４，Ｃ２５において、停止ボタン２５を操作されることで状態２１に遷移するように、又は、再生ボタン２２を操作されることで状態２２に遷移するようにしても構わない。更に、シャトルダイヤルの回動される角度と動作の関係も、本例に限定されるものではない。
【００８１】
尚、本発明の実施形態として、放送信号を受信するデジタル映像記録再生装置を例に挙げたが、このように放送信号を処理するデジタル映像記録再生装置に限らず、デジタル信号として映像信号が入力されるとともにランダムアクセス可能な記録媒体を有する映像記録再生装置であれば、他の構成のものでも構わない。又、リモートコントローラについても、図２に示すような外観のリモートコントローラに限定されず、例えば、スキップ動作の指示専用のボタンを設けたものや、シャトルダイヤルの代わりにスライドさせる量により早送り動作を変えるスライドバーが設けられたものとしても構わない。
【００８２】
【発明の効果】
本発明のデジタル映像記録再生装置によると、サーチ機能とスキップ機能を組み合わせて、視聴者が所望するシーンの検索を行うことができる。よって、サーチ機能のみで検索する場合と比べて所望のシーンを検索するのにかかる時間が短縮されるとともに、スキップ機能のみで検索した場合のように所望のシーンを飛び越してしまうことを防ぐことができる。又、デジタル映像記録再生装置の動作がサーチ機能による動作から通常再生機能による動作に移ったとき、サーチ機能で再生される方向と逆方向に一旦スキップした後、通常再生機能が動作される。よって、視聴者によって操作されたときの操作遅れ分だけスキップして戻った後、通常再生が行われるようにすることができる。よって、視聴者が所望するシーンから通常再生される。
【図面の簡単な説明】
【図１】本発明のデジタル映像記録再生装置の内部構成を示すブロック図。
【図２】図１のデジタル映像記録再生装置に入力するためのリモートコントローラの外観図。
【図３】記録媒体及びピクチャ管理テーブル内に記録される映像信号及びピクチャ先頭アドレスの状態を示す図。
【図４】記録媒体及びピクチャ管理テーブル内に記録される映像信号及びピクチャ先頭アドレスの状態を示す図。
【図５】記録媒体及びピクチャ管理テーブル内に記録される映像信号及びピクチャ先頭アドレスの状態を示す図。
【図６】早送り動作の基本動作を示すための状態遷移図。
【図７】早送りボタンが操作されたときの早送り動作を示すための状態遷移図。
【図８】シャトルダイヤルが操作されたときの早送り動作を示すための状態遷移図。
【図９】シャトルダイヤルの動作を示すための図。
【符号の説明】
１    アンテナ
２    チューナ
３    記録媒体
４    記録媒体制御部
５    復号回路
６    表示装置
７    ＣＰＵ
８    インターフェース
９    ピクチャ管理テーブル
１０    リモートコントローラ
【図１】
0003992424.tif 000002
【図２】
0003992424.tif 000003
【図３】
0003992424.tif 000004
【図４】
0003992424.tif 000005
【図５】
0003992424.tif 000006
【図６】
0003992424.tif 000007
【図７】
0003992424.tif 000008
【図８】
0003992424.tif 000009
【図９】
0003992424.tif 000010